(57)【要約】【課題】心電図モニター送信機を常時携帯する入院患者の精神的・肉体的負担や違和感を軽減し、正確な測定結果を送信することができる心電図モニター送信機を収容可能な上着を提供する。【解決手段】上着１は、心電図モニター送信機１０を収容する収容部２と、心電図モニター送信機１０に接続されたリード線１１を収容部２から外出させる外出部５と、収容部２の開口３を開閉する開閉部４と、が設けられており、外出部５は開口３の一部となっており、開閉部４は外出部５の障害とならない位置に設けられている。【選択図】図１
2014217494.tif 000002
【特許請求の範囲】
【請求項１】
心電図モニター送信機を収容する収容部と、
心電図モニター送信機に接続されたリード線を前記収容部から外出させる外出部と、
前記収容部の開口を開閉する開閉部と、
が設けられていることを特徴とする心電図モニター送信機を収容可能な上着。
【請求項２】
前記外出部は前記開口の一部となっており、前記開閉部は前記外出部の障害とならない位置に設けられていることを特徴とする請求項１記載の心電図モニター送信機を収容可能な上着。
【発明の詳細な説明】
【技術分野】
【０００１】
本発明は、心電図モニター送信機を常時携帯する入院患者の精神的・肉体的負担や違和感を軽減し、正確な測定結果を送信することができる心電図モニター送信機を収容可能な上着に関する。
【背景技術】
【０００２】
入院患者には、不整脈を早期に発見するために心電図のモニタリングを常時行っており、心電図に異常があるとモニタリング側にてアラームが発生する。このような心電図のモニタリングにおいては、離床可能な患者のためにも、患者に心電図モニター送信機を常時携帯させ、離れた場所で心電図モニター送信機の送信情報を受信している。
【０００３】
ここで、心電図に異常がある場合とは、不整脈に限らず、心電図モニター送信機に接続された電極が患者の身体と離れてモニタリングできなくなったり、送受信機間の電波領域を超えたりすることによる。
【０００４】
心電図モニター送信機を常時携帯するために、心電図モニター送信機に紐を取り付けて、患者の肩に紐をかけるタイプや、患者の身体に心電図モニター送信機を貼り付けるタイプや、肩にかけ或いは腰に巻くことが可能な心電図モニター送信機を収容するポシェット付きのタイプが存在する。
【発明の開示】
【発明が解決しようとする課題】
【０００５】
しかしながら、上述した３つのタイプはいずれも患者の身体を圧迫するものであることから、患者の精神的・肉体的負担が大きい。すなわち、首かけタイプやショルダータイプのものでは、心電図モニター送信機の自重によって首や肩が凝ったり紐痕が残ったりする原因となる。また、患者がベッドで横になっている際には、ベッドの傍に心電図モニター送信機を置いているが、患者が起き上ったときに電極が外れて異常状態になることもある。
【０００６】
また、患者の身体に心電図モニター送信機を貼り付けるタイプでは、貼り付け箇所の痒みといった違和感が生じる。
【０００７】
さらに、患者の動きに合わせて心電図モニター送信機も揺動するような場合、例えば、首かけタイプでは患者の歩行の際に心電図モニター送信機が左右に揺れ動く場合にあっては、心電図モニター送信機が邪魔だという精神的負担のみならず、測定結果にノイズが発生してしまい、正確な測定結果を送信することができないという問題がある。
【０００８】
本発明は、このような点に鑑みてなされたものであり、その目的は、心電図モニター送信機を常時携帯する入院患者の精神的・肉体的負担や違和感を軽減し、正確な測定結果を送信することができる心電図モニター送信機を収容可能な上着を提供することにある。
【課題を解決するための手段】
【０００９】
以上のような課題を解決するために、本発明は、以下のものを提供する。
【００１０】
（１）  心電図モニター送信機を収容する収容部と、心電図モニター送信機に接続されたリード線を前記収容部から外出させる外出部と、前記収容部の開口を開閉する開閉部と、が設けられていることを特徴とする心電図モニター送信機を収容可能な上着。
【００１１】
本発明によれば、開閉部の開口から収容された心電図モニター送信機は、その接続されたリード線を外出部から外出させることで、リード線先端の電極を患者に装着できるとともに、開閉部によって収容部の開口を閉じることで、心電図モニター送信機が収容部から脱落するのを防止することができる。
【００１２】
このため、心電図モニター送信機の自重が上着全体にかかっており、患者の身体との接触領域が従前に比べて増えていることから、心電図モニター送信機を常時携帯する患者の精神的・肉体的負担や違和感を軽減することができる。
【００１３】
なお、収容部の開口を閉じることは、老人のなど前かがみになる患者が多い環境下にあっては、特に重要となる。
【００１４】
（２）  前記外出部は前記開口の一部となっており、前記開閉部は前記外出部の障害とならない位置に設けられていることを特徴とする心電図モニター送信機を収容可能な上着。
【００１５】
本発明によれば、開口の一部を外出部として、開閉部と外出部とが障害とならない位置に設けられていることから、開閉部と外出部とを設ける際の上着の作製容易化を図ることができる。
【発明の効果】
【００１６】
以上説明したように、本発明の心電図モニター送信機を収容可能な上着によれば、心電図モニター送信機を常時携帯する患者の精神的・肉体的負担や違和感を軽減するとともに、収容した心電図モニターの脱落を防止することができる。
【図面の簡単な説明】
【００１７】
【図１】本発明の実施の形態に係る心電図モニター送信機を収容可能な上着の概略図である。
【図２】心電図モニター送信機の概略図である。
【図３】収容部の他の例を示す図である。
【図４】収容部の他の例を示す図ある。
【発明を実施するための最良の形態】
【００１８】
以下、図面に基づいて本発明の実施の形態を説明する。
【００１９】
図１は、本発明の実施の形態に係る心電図モニター送信機１０を収容可能な上着１の概略図である。上着１としては、患者の寝巻の上に羽織る羽織着、チョッキ、ベスト、肌着など特に限定されず、患者の体格に合わせたものとすることができる。また、治療や検査を容易に行うことができるように、上着１としては前開きのものが好ましく、前開き用のチャック、ボタン又はマジックテープが開き部６に設けられる。
【００２０】
図１に示す上着１は、心電図モニター送信機１０を収容する収容部２と、心電図モニター送信機１０に接続されたリード線１１を収容部２から外出させる外出部５と、収容部２の開口３を開閉する開閉部４と、が設けられており、外出部５は開口３の一部となっており、開閉部４は外出部５の障害とならない位置に設けられている。すなわち、開閉部４を上止めホックとして、開閉部４が位置しないその近傍の開口３からリード線１１を外出させることができる。また、収容部２の位置は、左下又は右下が好ましい。
【００２１】
収容部２には、図２に示す小型の心電図モニター送信機１０が収容される。心電図モニター送信機１０にはリード線１１が着脱可能に接続され、リード線１１の先端には患者の身体に装着する電極１２が設けられている。本考案においては、心電図モニター送信機１０を収容部２に収容する一方、リード線１１及び電極１２は収容部２から外出させて使用する。心電図モニター送信機１０は乾電池で駆動し、乾電池を含めた自重は約１６０グラム、大きさは１０ｃｍ×８ｃｍ×２５ｃｍである。なお、小型の心電図モニター送信機１０以外にも種々のものがあり、図２に示すものよりも大型化するほどその自重は大きくなるため、患者への負担も大きくなる。
【００２２】
図３は、開閉部４'をマジックテープ又はファスナーチャックとしたものであり、外出部５は開口３の一部となっており、開閉部４'は外出部５の障害とならない位置に設けられている。開閉部４'による閉口領域と外出部５による開口領域とが形成され、開口領域からリード線１１を外出させる。
【００２３】
図４は、図３と同様に開閉部４'をマジックテープ又はファスナーチャックとしたものであるが、外出部５'が開口とは別に設けられている。外出部５'は収容部２の裏面（患者の身体面）にある孔条であってもよく、収容部２の表面にある孔条であってもよい。孔条が収容部２の裏面にある場合には、収容部２に収容した心電図モニター送信機１０に接続されているリード線が上着１の裏側を通ることから、外部から視認し得ない態様となり、見栄えもよくなる。
【００２４】
なお、収容部２は、上着１に予め形成されていてもよく、或いは、マジックテープやボタンなどで患者所有の寝巻等に装着できるようにしてもよい。
【産業上の利用可能性】
【００２５】
本発明に係る心電図モニター送信機を収容可能な上着は、有効なモニタリングを実施して、異常アラームの発生を軽減することが可能なものとして有用である。
【符号の説明】
【００２６】
１  上着
２  収容部
３  開口
４  開閉部
５  外出部
１０  心電図モニター送信機
１１  リード線
１２  電極
【図１】
2014217494.tif 000003
【図３】
2014217494.tif 000004
【図４】
2014217494.tif 000005
【図２】
2014217494.tif 000006